(57)【要約】  本発明は通信の技術分野に関連するサービス提供方法、装置及びシステムを開示する。本方法は、端末により開始されたサービスについてのサービスサポート情報を含むサービス通知メッセージを受信するステップと、サービスを開始した端末が在圏しているセルで利用されているネットワーク方式が端末により開始されたサービスをサポートしていないことが、サービスサポート情報に基づいて確認された場合、端末により開始されたサービスを、端末により開始された前記サービスをサポートしているセルに切り替えるステップとを有する。本装置は受信モジュールと切替モジュールとを含む。本システムはコアネットワーク要素とサービス提供装置を含む。本発明によれば、端末が、開放されているネットワーク方式のセルの中で、現在開放されているネットワーク方式ではサポートされていないサービスを開始した場合に、端末により開始されたサービスを適切に提供することができ、ユーザの体感品質を改善することができる。
2014513460.tif 000002
【特許請求の範囲】
【請求項１】
端末により開始されたサービスについてのサービスサポート情報を含むサービス通知メッセージを受信するステップと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるステップと
を有するサービス提供方法。
【請求項２】
前記サービスサポート情報が、前記端末により開始された前記サービスのサービスタイプを示していた場合、前記端末により開始された前記サービスを、前記端末により開始された前記サービスをサポートしているセルに切り替える前記ステップにおいて、
前記サービスサポート情報が示す前記サービスタイプと、前記サービスタイプ及びネットワーク方式の間の対応関係とに従って、前記端末により開始された前記サービスをサポートしているネットワーク方式を判別し、前記端末により開始された前記サービスを、該ネットワーク方式に対応するセルに切り替える、請求項１に記載のサービス提供方法。
【請求項３】
前記サービス通知メッセージが、コアネットワークから送信された割当要求メッセージ又は前記端末から送信されたパケットリソース要求を含む、請求項２に記載のサービス提供方法。
【請求項４】
前記サービス通知メッセージが、前記コアネットワークから送信された割当要求メッセージを含んでいた場合において、
前記サービスサポート情報が、現在のネットワークは前記端末により開始された前記サービスをサポートしていないことを示していた場合、前記端末により開始された前記サービスを、前記端末により開始された前記サービスをサポートしている前記セルに切り替える前記ステップにおいて、前記端末により開始された前記サービスをサポートしているネットワーク方式を判別し、前記端末により開始された前記サービスを、判別された該ネットワーク方式に対応するセルに切り替える、或いは、
前記サービスサポート情報が、前記端末により開始された前記サービスをサポートしているネットワーク方式を示していた場合、前記端末により開始された前記サービスを、前記端末により開始された前記サービスをサポートしている前記セルに切り替える前記ステップにおいて、前記端末により開始された前記サービスを、前記サービスサポート情報が示す前記ネットワーク方式に対応するセルに切り替える、請求項３に記載のサービス提供方法。
【請求項５】
前記ネットワーク方式が、前記端末が在圏しているセルと併存する隣接セルを有していた場合、前記端末により開始された前記サービスを、前記ネットワーク方式の前記セルに切り替える前記ステップにおいて、前記端末により開始された前記サービスを、前記端末が在圏している前記セルと併存する前記隣接セルにおけるネットワーク方式に対応するセルに切り替え、
前記併存する隣接セルは、前記端末が在圏しているセルの受信機と同じ場所に配備された受信機と、前記端末が在圏しているセルの送信機と同じ場所に配備された送信機とを有する隣接セルである、請求項１−４の何れか１項に記載のサービス提供方法。
【請求項６】
端末により送信されたサービス要求メッセージであって前記端末により開始されたサービスのタイプを含むサービス要求メッセージを受信するステップと、
基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するステップと
を有するサービス提供方法。
【請求項７】
現在のセルが前記端末により開始された前記サービスをサポートしていなかったことが前記サービスの前記タイプに従って確認された場合、前記サービス要求メッセージに従って、前記割当要求情報を前記基地局コントローラに送信することを実行するステップを有する請求項６に記載のサービス提供方法。
【請求項８】
前記サービスサポート情報が、前記端末により開始された前記サービスの前記タイプを通知するために使用される、或いは
前記サービスサポート情報が、前記端末により開始されたサービスを現在のセルがサポートしているか否かを通知するために使用される、或いは
前記端末により開始された前記サービスの前記タイプに従って、前記端末により開始された前記サービスをサポートしているネットワーク方式が判別され、前記サービスサポート情報は、前記端末により開始された前記サービスをサポートしている判別された前記ネットワーク方式を通知するために使用される、請求項６に記載のサービス提供方法。
【請求項９】
ＧＳＭネットワークのセルにおいてパケット交換（ＰＳ）ドメインのリクエストにより、サービスを開始する場合に、基地局コントローラ（ＢＳＣ）が、前記サービスのタイプに応じて、該サービスを、該サービスをサポートしているセルに切り替えるように、前記サービスの前記タイプを含むパケットリソースリクエストを前記ＢＳＣに送信するステップを有するサービス提供方法。
【請求項１０】
前記サービスの前記タイプを含む前記パケットリソース要求を前記ＢＳＣに送信する前に、当該サービス提供方法は、
前記ＢＳＣから送信された前記ＧＳＭネットワークのセルに関する能力情報を受信し、前記ＧＳＭネットワークのセルが前記開始されたサービスをサポートしているか否かを前記能力情報に基づいて判断するステップを更に有する請求項９に記載のサービス提供方法。
【請求項１１】
端末により開始されたサービスについてのサービスサポート情報を含むサービス通知メッセージを受信するように形成された受信モジュールと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるように形成された切替モジュールと
を有するサービス提供装置。
【請求項１２】
前記サービスサポート情報が、前記端末により開始された前記サービスのサービスタイプを示していた場合、前記切替モジュールは、
前記サービスサポート情報が示す前記サービスタイプと、前記サービスタイプ及びネットワーク方式の間の対応関係とに従って、前記端末により開始された前記サービスをサポートしているネットワーク方式を判別するように形成された判別ユニットと、
前記端末により開始された前記サービスを、該ネットワーク方式に対応するセルに切り替える切替ユニットと
を有する、請求項１１に記載のサービス提供装置。
【請求項１３】
前記サービス通知メッセージが、コアネットワークから送信された割当要求メッセージを含んでいた場合において、
前記サービスサポート情報が、現在のネットワークは前記端末により開始された前記サービスをサポートしていないことを示していた場合、前記端末により開始された前記サービスをサポートしているネットワーク方式を判別し、前記端末により開始された前記サービスを、判別された該ネットワーク方式に対応するセルに切り替える、或いは、
前記サービスサポート情報が、前記端末により開始された前記サービスをサポートしているネットワーク方式を示していた場合、前記切替ユニットは、前記端末により開始された前記サービスを、前記サービスサポート情報が示す前記ネットワーク方式に対応するセルに切り替える、請求項１１に記載のサービス提供装置。
【請求項１４】
前記ネットワーク方式が、前記端末が在圏しているセルと併存する隣接セルを有していた場合、
前記切替ユニットは、前記端末により開始された前記サービスを、前記端末が在圏している前記セルと併存する前記隣接セルにおけるネットワーク方式に対応するセルに切り替え、
前記併存する隣接セルは、前記端末が在圏しているセルの受信機と同じ場所に配備された受信機と、前記端末が在圏しているセルの送信機と同じ場所に配備された送信機とを有する隣接セルである、請求項１１−１３の何れか１項に記載のサービス提供装置。
【請求項１５】
端末により送信されたサービス要求メッセージであって前記端末により開始されたサービスのタイプを含むサービス要求メッセージを受信するように形成された受信モジュールと、
基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するように形成された送信モジュールと
を有するコアネットワーク要素。
【請求項１６】
現在のセルが前記端末により開始された前記サービスをサポートしていなかったことが前記サービスの前記タイプに従って確認された場合、前記送信モジュールは、前記サービス要求メッセージに従って、前記割当要求情報を前記基地局コントローラに送信する、請求項１５に記載のコアネットワーク要素。
【請求項１７】
ＧＳＭネットワークのセルにおいてパケット交換（ＰＳ）ドメインのリクエストによりサービスが開始される場合に、基地局コントローラ（ＢＳＣ）が、前記サービスのタイプに応じて、該サービスを、該サービスをサポートしているセルに切り替えるように、前記サービスの前記タイプを含むパケットリソース要求を前記ＢＳＣに送信するように形成された送信モジュールを有する端末。
【請求項１８】
前記サービスの前記タイプを含む前記パケットリソース要求が前記ＢＳＣに送信される前に、前記ＢＳＣから送信された前記ＧＳＭネットワークのセルに関する能力情報を受信し、前記ＧＳＭネットワークのセルが前記開始されたサービスをサポートしているか否かを前記能力情報に従って判断する受信モジュールを更に有する請求項１７に記載の端末。
【請求項１９】
請求項１５又は１６に記載のコアネットワーク要素と、請求項１１−１４の何れか１項に記載のサービス提供装置とを有するサービス提供システム。
【発明の詳細な説明】
【技術分野】
【０００１】
本発明は通信の技術分野に関連し、特にサービスを提供する方法、装置及びシステム等に関連する。
【背景技術】
【０００２】
地球温暖化が悪化するにつれて、省エネルギ化は通信事業者又はキャリアの現実的な研究課題となっている。運用コストを低減しつつ環境を保護するために、多くの省エネルギ方式が通信ネットワークに応用されるであろう。特に、複数のネットワーク方式(又はネットワークフォーマット)が併存する状況において、様々なネットワーク方式を用いてより経済的な方法でサービスを如何にして提供するかは、業界で広く議論されている話題である。
【０００３】
複数のネットワーク方式が重複したカバレッジを形成している場合、或るネットワーク方式のセルをオープン状態又は開放状態(open)にする一方他のネットワーク方式のセルをクローズド状態又は閉鎖状態(close)にするという状態においては、省エネルギ化の目的が達成されるかもしれない。例えば、グローバル移動通信システム(GSM（登録商標）)のネットワークと、ユニバーサル移動通信システム(UMTS)のネットワークとが重複したカバレッジを形成している場合に、トラフィックが少ない夜間の時間帯において、GSMネットワークのセルがオープン状態又は開放状態にされる一方、残りのUMTSネットワークのセルがクローズド状態又は閉鎖状態されるようにしてもよい。
【発明の概要】
【発明が解決しようとする課題】
【０００４】
本発明者等は従来技術が少なくとも以下の問題を有することを認識している。
【０００５】
或るネットワーク方式のセルがオープン状態にされる一方、他のネットワーク方式のセルがクローズド状態される場合、移動局は、その時点でオープン状態にされているネットワーク方式のセルにしか在圏又はキャンプ(camp)できず；その時点でオープン状態になっているネットワーク方式が移動局により開始された(開始されようとした)サービスをサポートしていなかった場合でも(そのサービスを利用できなかった場合でも)、その移動局により開始されたサービスは開設又は提供に失敗し、その結果、ユーザの体感品質に影響が及ぶ。
【課題を解決するための手段】
【０００６】
実施の形態によるサービス提供方法は、
端末により開始されたサービスについてのサービスサポート情報を含むサービス通知メッセージを受信するステップと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるステップと
を有するサービス提供方法である。
【図面の簡単な説明】
【０００７】
【図１】本発明の実施形態1によるサービス提供方法を示すフローチャート。
【図２】本発明の実施形態2によるサービス提供方法を示すフローチャート。
【図３】本発明の実施形態3によるサービス提供方法を示すフローチャート。
【図４】本発明の実施形態4によるサービス提供方法を示すフローチャート。
【図５】本発明の実施形態5によるサービス提供装置を示す図。
【図６】本発明の実施形態6によるコアネットワーク要素を示す図。
【図７】本発明の実施形態7による端末を示す図。
【図８】本発明の実施形態8によるサービス提供システムを示す図。
【発明を実施するための形態】
【０００８】
＜概要＞
端末がその時点でオープン状態にされている(又は利用可能な)ネットワーク方式でサポートされていない(利用できない)サービスを開始しようとした場合に、端末により開始されたサービスの提供を成功させ、ユーザの体感品質を向上させるために、本発明はサービス提供方法、装置及びシステム等を提供する。具体的には次のような技術的な手段である。
【０００９】
一例によるサービス提供方法は、
端末により開始されたサービスについてのサービスサポート情報を含むサービス通知メッセージを受信するステップと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるステップと
を有するサービス提供方法である。
【００１０】
一例によるサービス提供方法は、
端末により送信されたサービス要求メッセージであって前記端末により開始されたサービスのタイプを含むサービス要求メッセージを受信するステップと、
前記基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するステップと
を有するサービス提供方法である。
【００１１】
一例によるサービス提供方法は、
パケット交換（ＰＳ）ドメインのリクエストにより、ＧＳＭネットワークのセルにおけるサービスを開始する場合に、基地局コントローラ（ＢＳＣ）が、前記サービスのタイプに応じて、該サービスを、該サービスをサポートしているセルに切り替えるように、前記サービスの前記タイプを含むパケットリソースリクエストを送信するステップを有するサービス提供方法である。
【００１２】
一例によるサービス提供装置は、
端末により開始されたサービスについてのサービスサポート情報を含むサービス通知メッセージを受信するように形成された受信モジュールと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるように形成された切替モジュールと
を有するサービス提供装置である。
【００１３】
一例によるコアネットワーク要素は、
端末により送信されたサービス要求メッセージであって前記端末により開始されたサービスのタイプを含むサービス要求メッセージを受信するように形成された受信モジュールと、
前記基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するように形成された送信モジュールと
を有するコアネットワーク要素である。
【００１４】
一例による端末は、
パケット交換（ＰＳ）ドメインのリクエストにより、ＧＳＭネットワークのセルにおけるサービスを開始する場合に、基地局コントローラ（ＢＳＣ）が、前記サービスのタイプに応じて、該サービスを、該サービスをサポートしているセルに切り替えるように、前記サービスの前記タイプを含むパケットリソースリクエストを送信するように形成された送信モジュールを有する端末である。
【００１５】
サービス提供システムはコアネットワーク要素とサービス提供装置とを含む。
【００１６】
本発明によれば、端末が、現在在圏しているセルの中で、現在オープン状態にされているネットワーク方式ではサポートされていないサービスを開始しようとした場合に、端末により開始されたサービスは、端末により開始されたサービスをサポートしているセルに切り替えられる。このように、端末が、現在在圏しているセルの中で、現在オープン状態にされているネットワーク方式ではサポートされていないサービスを開始した場合でも、端末により開始されたサービスを適切に提供することができ、これによりユーザの体感品質を向上させることができる。
【００１７】
＜詳細な説明＞
本発明の課題、課題を解決するための手段及び利点の理解を更に促すため、以下、添付図面を参照しながら本発明の実施の形態を詳細に説明する。
【００１８】
目下の通信ネットワークは様々なネットワーク方式による重複したカバレッジを有し、通信ネットワークにおける負荷が少なかった場合、或るネットワーク方式のセルをオープン状態(又は開放状態)にしかつ他のネットワーク方式のセルの全部又は一部をクローズド状態(又は閉鎖状態)にすることで、省エネルギ化の目的を達成するように処理することが可能である。移動局(MS)は、現在オープン状態にされているネットワーク方式のセルに在圏し、現在在圏しているそのセルの中でサービスを開始する(すなわち、サービスの提供を受けることを要求する)。MSにより開始されたサービスが、現在オープン状態にされているネットワーク方式によっては全く又は部分的にしかサポートされていなかった場合、本発明により提供される方法が、MSにより開始されたサービスを提供するために使用される。
【００１９】
通常、オープン状態のセル(opened  cell)は共通ブロードキャストチャネル(又は共通報知チャネル)を用いてシステムメッセージを周期的(又は定期的)にブロードキャスト(又は報知し)；クローズド状態のセル(cell  closing)は、セルの共通ブロードキャストチャネルを閉鎖し、セルがシステムメッセージをブロードキャストすることを止めるが、システムメッセージ以外のリソースサービスチャネルはオープン状態(又は利用可能)であることを示し；部分的なクローズド状態のセル(cell  part  closing)は、セルがシステムメッセージをブロードキャストする周期を引き延ばすが、セルの共通ブロードキャストチャネルは依然としてオープン状態(又は利用可能)であるようにし、これにより省エネルギ化を達成することを示す。更に、オープン状態のセル(opening  cell)はセルの共通ブロードキャストチャネルをオープン、開放又は利用可能にすることであり、共通ブロードキャストチャネルはパイロットチャネルと同期メジャーメントチャネルとを少なくとも含む。
【００２０】
＜＜実施の形態１＞＞
本発明による一実施形態はサービス提供方法をもたらす。重複したカバレッジをなす複数のネットワーク方式を含む通信ネットワークにおいて、一部のネットワーク方式のセルがオープン状態にされ(利用可能であるようにされ)、他のネットワーク方式のセルの全部又は一部がクローズド状態にされる。図1を参照すると、本方法は以下のステップを含んでいる。
【００２１】
101：基地局コントローラが、端末により開始されたサービスについてのサービスサポート情報を含むサービス通知メッセージを受信する。
【００２２】
102：基地局コントローラにより、サービスを開始した端末が在圏しているセルでオープン、開放又は利用されているネットワーク方式は、端末により開始されたサービスをサポートしていないことが、サービスサポート情報に基づいて確認された場合、端末により開始されたサービスを、端末により開始されたサービスをサポートしているセルに切り替える。
【００２３】
サービスサポート情報が、端末により開始されたサービスのサービスタイプを示していた場合、具体的に言えば、ステップ102において：サービスサポート情報が示す前記サービスタイプと、サービスタイプ及びネットワーク方式の間の対応関係とに従って、端末により開始されたサービスをサポートしているネットワーク方式を判別し、端末により開始されたサービスを、該ネットワーク方式に対応するセルに切り替える。
【００２４】
サービス通知メッセージは、コアネットワークから送信された割当要求メッセージ又は端末から送信されたパケットリソース要求(パケットリソースリクエスト)を含む。
【００２５】
サービス通知メッセージが、コアネットワークから送信された割当要求メッセージを含んでいた場合において、
サービスサポート情報が、現在のネットワークは端末により開始されたサービスをサポートしていないことを示していた場合、端末により開始されたサービスを、端末により開始されたサービスをサポートしているセルに切り替えるステップにおいて、具体的には、端末により開始されたサービスをサポートしているネットワーク方式を判別し、端末により開始されたサービスを、判別された該ネットワーク方式に対応するセルに切り替える；或いは、
サービスサポート情報が、端末により開始された前記サービスをサポートしているネットワーク方式を示していた場合、端末により開始されたサービスを、端末により開始されたサービスをサポートしているセルに切り替えるステップにおいて、具体的には、端末により開始されたサービスを、サービスサポート情報が示すネットワーク方式に対応するセルに切り替える。  
端末により開始されたサービスをサポートしているネットワーク方式が、前記端末が在圏しているセルと併存又は共存する隣接セルを有していた場合、端末により開始されたサービスを、そのネットワーク方式のセルに切り替えるステップにおいて、具体的には、端末により開始されたサービスを、端末が在圏しているセルと併存又は共存する隣接セルにおけるネットワーク方式に対応するセルに切り替える。併存する隣接セルは、端末が在圏しているセルの受信機と同じ場所に配備された受信機と、端末が在圏しているセルの送信機と同じ場所に配備された送信機とを有する隣接セルである。
【００２６】
具体的に言えば、基地局コントローラが、コアネットワーク要素(例えば、MSC)から送信された割当要求メッセージ(assignment  request  message)又は端末から送信されたパケットリソースリクエスト(packet  resource  request)(メッセージ)を受信してもよい。割当要求メッセージ又はパケットリソース要求は、サービスサポート情報を含む。サービスサポート情報が端末により開始されたサービスのサービスタイプを示していた場合、基地局コントローラは、サービスサポート情報が示すサービスタイプと、サービスタイプ及びネットワーク方式の間の対応関係とに従って、端末により開始されたサービスをサポートしているネットワーク方式を判別し、端末により開始されたサービスを、該ネットワーク方式に対応するセルに切り替える。
【００２７】
サービス通知メッセージが、コアネットワーク要素から送信された割当要求メッセージであった場合において、
サービスサポート情報が、現在のネットワークは端末により開始されたサービスをサポートしていないことを示していた場合、基地局コントローラは、先ず、端末により開始されたサービスをサポートしているネットワーク方式を判別し、次に、端末により開始されたサービスを、判別された該ネットワーク方式に対応するセルに切り替える、或いは、
サービスサポート情報が、端末により開始されたサービスをサポートしているネットワーク方式を示していた場合、基地局コントローラは、端末により開始されたサービスを、サービスサポート情報が示すネットワーク方式に対応するセルに切り替える。本発明の一実施形態によれば、移動局(又は端末)が、現在在圏しているセルの中で、現在オープン状態のネットワーク方式ではサポートされていないサービスを開始しようとした場合に、端末により開始されたサービスは、端末により開始されたサービスをサポートしているセルに切り替えられる。このように、移動局が、現在在圏しているセルの中で、現在オープン状態のネットワーク方式ではサポートされていないサービスを開始した場合でも、移動局により開始されたサービスの提供に成功することが可能になり、これによりユーザの体感品質を向上させることができる。
【００２８】
＜＜実施の形態２＞＞
本発明による一実施形態はサービス提供方法をもたらす。実施の形態において、MSは、GSMネットワーク、UMTSネットワーク及びLTE(ロングタームエボリューション)ネットワークが重複したカバレッジエリア内に位置している。GSMネットワークのセルがオープン状態であり、UMTSネットワークのセル及びLTEネットワークのセルがクローズド状態又は部分的なクローズド状態である。図2を参照すると、本方法は以下のステップを含んでいる：
201：現在在圏しているGSMネットワークセルにおいてMSがサービスを開始した場合に、基地局コントローラ(BSC)が、サービス通知メッセージを受信する。サービス通知メッセージは、MSにより開始されたサービスについてのサービスサポート情報を含む。
【００２９】
サービスサポート情報は、(a)GSMネットワークがMSにより開始されたサービスをサポートしていないことを示す、(b)MSにより開始されたサービスをサポートしているネットワーク方式を示す、或いは(c)MSにより開始されたサービスのサービスタイプを示していてもよい。
【００３０】
サービス通知メッセージは、コアネットワーク要素から送信された割当要求メッセージであってもよく、割当要求メッセージは、GSMネットワークがMSにより開始されたサービスをサポートしているか否か示すサービスサポート情報を含んでいてもよく；コアネットワーク要素はMSCであってもよく；或いは、
サービス通知メッセージはMSから送信されたパケットリソース要求であってもよく、パケットリソース要求は、MSがサービスを開始するのに必要なリソースを示すサービスサポート情報を含む。
【００３１】
MSは現在オープン状態のGSMネットワークのセルに在圏しているが、その一方で、UMTSネットワークのセル及びLTEネットワークのセルはクローズド状態又は一部クローズド状態であり、そのためMSはGSMネットワークのセルに在圏している。
【００３２】
一実施形態において、MSは、マルチモード端末であり、すなわちMSはGSM及びUMTSに関するデュアルモード端末であってもよく、或いはGSM及びLTEに関するデュアルモード端末であってもよく、或いはGSM、UMTS及びLTEに関するトリプルモード端末であってもよい。従って、MSは、GSMネットワークでサポートされている様々なサービス、或いはGSMネットワークではサポートされてないがUMTSネットワーク及び/又はLTEネットワークではサポートされている様々なサービスを、GSMネットワークのセルにおいて開始してもよい。
【００３３】
202：BSCが、サービスサポート情報に従って、GSMネットワークはMSにより開始されたサービスをサポートしていないことを確認し、ステップ203が実行される。
【００３４】
具体的には、サービスサポート情報が、GSMネットワークはMSにより開始されたサービスをサポートしていないことを示していた場合、サービス通知情報に従って、GSMネットワークはMSにより開始されたサービスをサポートしていないことを直接的に判断する；
サービスサポート情報が、MSにより開始されたサービスをサポートしているネットワーク方式を示していた場合、GSNネットワークが、サービスサポート情報により通知されているネットワーク方式であるか否かを判別し、そうでなかった場合、GSMネットワークはMSにより開始されたサービスをサポートしていないと判断する；或いは
サービスサポート情報が、MSにより開始されたサービスのサービスタイプを示していた場合、サービスサポート情報が示すサービスタイプに基づいてかつ保存されているサービスタイプとネットワーク方式との間の対応関係から、MSにより開始されたサービスをサポートするネットワーク方式を特定し、特定されたネットワーク方式がGSMネットワークでなかった場合、GSMネットワークはMSにより開始されたサービスをサポートしていないと判断する。
【００３５】
例えば、MSはGSMネットワークのセルにおいてビデオサービスを開始する。GSMネットワークはビデオサービスをサポートしていないが、UMTSネットワーク及びLTEネットワークはビデオサービスをサポートしているので、この場合、BSCは、GSMネットワークはMSにより開始されたビデオサービスをサポートしていないと判断する。
【００３６】
203：BSCは、MSにより開始されたサービスをサポートすることが可能なネットワーク方式を判別又は決定する。
【００３７】
具体的には、サービスサポート情報が、GSNネットワークはMSにより開始されたサービスをサポートしていないことを示していた場合、BSCはGSM以外の他のネットワーク方式の中からネットワーク方式を選択し、選択したネトワーク方式を、MSにより開始されたサービスをサポートするネットワーク方式として決定する；或いは
サービスサポート情報が、MSにより開始されたサービスをサポートしているネットワーク方式を示していた場合、BSCは、サービスサポート情報が示すネットワーク方式を、MSにより開始されたサービスをサポートするネットワーク方式として決定する；或いは
サービスサポート情報が、MSにより開始されたサービスのサービスタイプを示していた場合、サービスサポート情報が示すサービスタイプに基づいてかつ保存されているサービスタイプとネットワーク方式との間の対応関係から、MSにより開始されたサービスをサポートするネットワーク方式を特定する。
【００３８】
MSにより開始されたサービスをサポートするネットワーク方式が複数個存在する場合、MSにより開始されたサービスを最も相応しくサポートしているネットワーク方式を選択する。
【００３９】
204：判別されたネットワーク方式に対応するセルの中でBSCは、MSが現在在圏しているセルと共存する隣接セルの有無を判断し、有った場合はステップ205を実行し；無かった場合はステップ206を実行する。
【００４０】
共存又は併存する隣接セルは、端末が在圏しているセルの受信機と同じ場所に配備された受信機と、端末が在圏しているセルの送信機と同じ場所に配備された送信機とを有する隣接しているセルである。
【００４１】
205：BSCは、MSが現在在圏しているGSMネットワークセルと共存する隣接セルを特定し、特定した隣接セルの中から、決定したネットワーク方式に対応するセルを選択し、選択したセルを、MSにより開始されたサービスをサポートすることが可能なターゲットセルとして決定し、その後にステップ210を実行する。
【００４２】
206：BSCは、MSが現在在圏しているGSMネットワークセルに隣接する隣接セルを特定し、特定した隣接セルの中から、決定したネットワーク方式に対応するセルを選択し、選択した隣接セル各々に属するアクセスサイドネットワーク要素(access  side  network  element)に、共通ブロードキャストチャネルをオープン状態にするように通知する。
【００４３】
207：BSCはメジャーメントリクエストをMSに送信する。メジャーメントリクエストは、選択された隣接セル各々の共通ブロードキャストチャネルを測定することをMSに要求するために使用される。
【００４４】
208：MSは、メジャーメントリクエストを受信し、BSCにより特定された隣接セル各々を測定し、隣接セル各々のメジャーメントレポートを生成し、隣接セル各々のメジャーメントレポートをBSCに送信する。
【００４５】
209：BSCは、選択した隣接セル各々のメジャーメントレポートに従って、MSについての隣接セルを選択し、選択した隣接セルを、MSにより開始されたサービスをサポートしているターゲットセルとして決定する。
【００４６】
更に、BSCは、選択しなかった隣接セルに属するアクセスサイドネットワーク要素に、共通ブロードキャストチャネルをクローズド状態にするように通知する。
【００４７】
更に、実施の形態において、MSは、サービスを開始する場合に、MSが現在在圏しているセルに隣接する隣接セルの共通ブロードキャストチャネルを周期的に測定することになるので、BSCは、隣接セルに属するアクセスサイドネットワーク要素に共通ブロードキャストチャネルをオープン状態にするように通知した後、メジャーメントリクエストをMSに送信しなくてもよく、むしろ隣接セル各々の共通ブロードキャストチャネルが周期的に測定された後に、MSから送信される隣接セル各々についてのメジャーメントレポートを待機し、その後に、隣接セル各々のメジャーメントレポートに従ってターゲットセルを選択してもよい。
【００４８】
210：BSCは、MSをターゲットセルに切り替え、開始されたサービスをターゲットセルでMSに実行させる。
【００４９】
クローズド状態のセル(cell  closing)は、セルの共通ブロードキャストチャネルをクローズド状態にするが、セルのそれ以外のリソースは維持される。従って、一実施形態では、BSCは、MSをターゲットセルに切り替える前に、ターゲットセルの共通ブロードキャストチャネルをオープン状態にしなくてもよく、むしろターゲットセルにより維持されているリソースをそのまま利用してサービスチャネルを設定し、設定されたサービスチャネルを介して、開始されたサービスを、設定されたサービスチャネルにおいてMSに実行させてもよい。
【００５０】
更に、一実施形態において、BSCは、MSをターゲットセルに切り替える前に、先ずターゲットセルの共通ブロードキャストチャネルをオープン状態にし、次にMSをターゲットセルに切り替え、開始されたサービスをターゲットセルにおいてMSに実行させてもよい。
【００５１】
一実施形態において、BSCは先ずMSが現在在圏しているセルと共に共存する隣接セルを特定してもよい。特定された隣接セルが、MSにより開始されたサービスをサポートするネットワーク方式に対応する隣接セルを有していた場合、MSにより開始されたサービスをサポートするネットワーク方式に対応するその隣接セルを、ターゲットセルとして決定し；そうでなかった場合、MSが現在在圏しているセルに隣接している隣接セルを特定し、特定した隣接セルの中から、MSにより開始されたサービスをサポートするネットワーク方式に対応する隣接セルを、ターゲットセルとして選択する。
【００５２】
一実施形態において、BSCは、MSにより開始されたサービスをサポートするネットワーク方式を決定した後に、MSが現在在圏しているセルに基づいて及び保存されている在圏セルと候補セルとの間の対応関係から、対応する候補セルを特定し、特定した候補セルの中から、決定したネットワーク方式に対応する候補セルを、ターゲットセルとして選択する。
【００５３】
一実施形態において、UMTSネットワークのセルを維持しかつオープン状態とし、GSMネットワークのセル及び/又はLTEネットワークのセルをクローズド状態又は一部クローズド状態とすることも実現可能である。MSが、UMTSネットワークのセルの中で、UMTSネットワークによってはサポートされていないサービスを開始した場合に、MSにより開始されたサービスを提供するために上記の方法が利用されてもよい。
【００５４】
本発明の一実施形態によれば、MSがGSMネットワークのセルにおいてGSMネットワークによってはサポートされていないサービスを開始した場合、BSCは、MSにより開始されたサービスをサポートすることが可能なネットワーク方式を判別し、判別したネットワーク方式に対応する隣接セルの中で、MSにより開始されたサービスをサポートすることが可能な隣接セルをターゲットセルとして特定し、MSにより開始されたサービスをターゲットセルに切り替えることが可能である。従って、MSが、GSMネットワークのセルにおいて、GSMネットワークによってはサポートされていないサービスを開始した場合でも、MSにより開始されたサービスは適切に提供でき、ユーザの体感品質を向上させることができる。
【００５５】
＜＜実施の形態３＞＞
本発明による一実施形態はサービス提供方法をもたらす。実施の形態における通信ネットワークでは、GSMネットワーク、UMTSネットワーク及びLTEネットワークが重複したカバレッジエリア内にあり、通信ネットワークにおいて、GSMネットワークのセルがオープン状態であり、UMTSネットワークのセル及びLTEネットワークのセルはクローズド状態又は一部クローズド状態であり；MSは、オープン状態のGSMネットワークのセルにおいて回線交換(Circuit  Switched：CS)ドメインのリクエストを利用して、GSMネットワークではサポートされていないパケット交換(Packet  Switched：PS)サービスを開始し、その後BSCは実施の形態により提供されるサービス提供方法を利用してMSによって開始されたPSサービスを提供する。図3を参照するに、本方法は以下のステップを含んでいる：
301：MSが現在在圏しているGSMネットワークの中でCSドメインリクエストを利用してPSサービスを開始した場合、MSは、MSにより開始されたサービスのサービスタイプを担う又は含むサービスリクエストメッセージを、コアネットワーク要素である移動交換局(MSC)に送信する。
【００５６】
UMTSネットワークセル及びLTEネットワークセルはクローズド状態又は一部クローズド状態であり、GSMネットワークセルが維持されているので、MSは現在オープン状態のGSMネットワークセルにしか在圏できない；GSMネットワークはPSサービスではないCS差0ビスをサポートしているので、現在オープン状態のGSMネットワークセルは、CSドメインリクエストによりMSが開始したPSサービスをサポートしていない。なお、PSサービスはビデオサービスであってもよい。
【００５７】
サービスリクエストメッセージはレイヤ3メッセージであってもよい。
【００５８】
302：MSCは、サービスリクエストメッセージを受信し、サービスリクエストメッセージに含まれているサービスタイプに従ってサービスサポート情報を送信するか否かを判断し、サービスサポート情報は、現在オープン状態のGSMネットワークがMSにより開始されたPSサービスをサポートしているか否かを示すのに使用される。
【００５９】
具体的には、
(i)保存しているサービスタイプのリストを検索又は探索し、サービスリクエストメッセージが示すサービスタイプの存否を判断し、存在していなかった場合、GSMネットワークはMSにより開始されたPSサービスをサポートしていないことを示すようにサービスサポート情報を設定し、設定されたサービスサポート情報を送信することを決定する(サービスタイプのリストはGSMネットワークによりサポートされているサービスのサービスタイプを含むリストである)；或いは
(ii)サービスタイプのリストを検索又は探索し、サービスタイプのリストはサービスリクエストメッセージが示すサービスタイプを含んでいないと判断した場合、サービスリクエストメッセージが示すサービスタイプを示すようにサービスサポート情報を設定し、設定されたサービスサポート情報をBSCに送信することを決定する；或いは
(iii)サービスリクエストメッセージが示すサービスタイプに従ってかつネットワーク方式とサービスタイプとの間の対応関係により、MSにより開始されたサービスについてのネットワーク方式を探し；発見されたネットワーク方式がGSMネットワークでなかった場合、MSにより開始されたサービスをサポートするネットワーク方式を示すようにサー日サポート情報を設定し、設定されたPSサービスサポート情報を送信することを決定する(ネットワーク方式とサービスタイプとの間の対応関係は、ネットワーク方式各々のタイプと、各々のタイプのネットワーク方式によりサポートされているサービスのサービスタイプとを保存するために使用されている)。
【００６０】
303：MSCは割当要求メッセージをBSCに送信し、割当要求メッセージはサービスサポート情報を含み、サービスサポート情報は、現在オープン状態のGSMネットワークがMSにより開始されたPSサービスをサポートしているか否かを示すために使用される。
【００６１】
一実施形態において、MSCは、送信される割当要求メッセージにサービスサポート情報フィールドを追加し；表1に示されているように、MSCから送信される割当要求メッセージは、エレメント識別子(又は要素識別子)、長さ及びサービスサポート情報(サービスサポート通知)という3つのフィールドを含む。
【００６２】
【表１】
2014513460.tif 000003
サービスサポート情報は少なくとも以下の3つを含む形態(i)-(iii)に分類されてもよい：
(i)  第1に、サービスサポート情報は、現在オープン状態のGSMネットワークがMSにより開始されたサービスをサポートしているか否かを示す1ビットを占めてもよい。
【００６３】
例えば、ビット0は、現在オープン状態のGSMネットワークがMSにより開始されたサービスをサポートしていることを示すために使用され、ビット1は、現在オープン状態のGSMネットワークがMSにより開始されたサービスをサポートしていないことを示すために使用されてもよい。
【００６４】
(ii)  第2に、サービスサポート情報は、MSにより開始されたサービスをサポートすることが可能なネットワーク方式を示すように複数のビットを占めてもよい。
【００６５】
例えば、ビット00は全てのネットワーク方式がMSにより開始されたサービスをサポートしていることを示し、01はLTEネットワーク方式のみがMSにより開始されたサービスをサポートしていることを示し、ビット10はUMTSネットワーク方式のみがMSにより開始されたサービスをサポートしていることを示し、ビット11はUMTSネットワーク及びLTEネットワークの双方がMSにより開始されたサービスをサポートしていることを示すように使用されてもよい。
【００６６】
(iii)  第3に、サービスサポート情報は、MSにより開始されたサービスのサービスタイプを示すように複数のビットを占めてもよい。
【００６７】
例えば、ビット00はサービスタイプが音声サービスであることを示し、01はサービスタイプがビデオサービスであることを示すために使用されてもよい。
【００６８】
304：BSCが、割当要求メッセージを受信し、割当要求メッセージが示すサービスサポート情報に従って、現在オープン状態のGSMネットワークはMSにより開始されたPSサービスをサポートしていないことを確認する。
【００６９】
サービスサポート情報が、現在オープン状態のGSMネットワークはMSにより開始されたサービスをサポートしているか否かを示すために使用されていた場合、或いはMSにより開始されたサービスをサポートすることが可能なネットワーク方式を示していた場合、BSCは、サービスサポート情報に従って、現在オープン状態のGSMネットワークはMSにより開始されたPSサービスをサポートしていないことを直接的に確認する；サービスサポート情報がMSにより開始されたサービスのサービスタイプを示すように使用されていた場合、BSCは、サービスサポート情報に従って、MSにより開始されたサービスのサービスタイプを確認し、保存しているサービスタイプ及びネットワーク方式の対応関係とMSにより開始されたサービスのサービスタイプとに応じて、現在オープン状態のGSMネットワークはMSにより開始されたPSサービスをサポートしていないことを判断する。
【００７０】
サービスのサービスタイプとそのサービスをサポートしているネットワーク方式との間の対応関係は、BSCに事前に保存されていてもよい。
【００７１】
305：サービスサポート情報に従って、BSCは、MSにより開始されたPSサービスをサポートすることが可能なネットワーク方式を特定する。
【００７２】
具体的には、
(i)  サービスサポート情報が、GSMネットワークはMSにより開始されたPSサービスをサポートしていないことを示すように使用されていた場合、BSCは、GSMを除く他のネットワーク方式の中から或るネットワーク方式を選択し、そのネットワーク方式を、MSにより開始されたPSサービスをサポートしているネットワーク方式として決定する；或いは
(ii)  サービスサポート情報が、MSにより開始されたサービスをサポートすることが可能なネットワーク方式を示すように使用されていた場合、BSCは、サービスサポート情報が示すネットワーク方式を、MSにより開始されたPSサービスをサポートしているネットワーク方式として決定する；或いは
(iii)  サービスサポート情報がMSにより開始されたサービスのサービスタイプを示すように使用されていた場合、サービスサポート情報が示すサービスタイプに基づいてかつ保存しているサービスタイプとネットワーク方式との間の対応関係に従って、MSにより開始されたサービスをサポートするネットワーク方式を特定する。
【００７３】
MSにより開始されたサービスをサポートする複数のネットワーク方式が存在する場合、BSCは、MSにより開始されたサービスを最も相応しくサポートするネットワーク方式を選択する。
【００７４】
LTEネットワーク及びUMTSネットワークは何れもPSサービスをサポートしているので、実施の形態において特定されるネットワーク方式はLTEネットワークでもUMTSネットワークでもよい。
【００７５】
306：BSCは、特定したネットワーク方式に対応する隣接セルにおいて、MSが現在在圏しているGSMネットワークセルと共に共存する隣接セルの存否を判断し、存在していればステップ307を実行し；存在していなければステップ308を実行する。
【００７６】
307：BSCは、MSが現在在圏しているGSMネットワークセルと共に共存している隣接セルをターゲットセルとして決定し、ステップ312を実行する。
【００７７】
特定されたネットワーク方式に対応する隣接セルが、MSが現在在圏しているGSMネットワークセルと共に共存している隣接セルを有していた場合、その共存する隣接セルが、切り替えサービスのターゲットセルとして機能してもよい。特定されたネットワーク方式はGSMネットワークと重複したカバレッジ内で使用されるので、ターゲットセルが、MSが現在在圏しているセルと共存していた場合、MSはターゲットセルのカバレッジ範囲内に位置しているはずであり、MSにより開始されたPSサービスがターゲットセルに切り替えられる。
【００７８】
特定されたネットワーク方式がLTEネットワークであった場合、ターゲットセルは、MSが現在在圏しているGSMネットワークセルと共存しているLTEネットワークセルであり；特定されたネットワーク方式がUMTSネットワークであった場合、ターゲットセルは、MSが現在在圏しているGSMネットワークセルと共存しているUMTSネットワークである。
【００７９】
更に、MSが開始されたサービスをターゲットセルに切り替えることをいっそう適切に行うため、BSCは、ターゲットセルを特定した後に、共通ブロードキャストチャネルをオープン状態にするように、ターゲットセルに属するアクセスサイドネットワーク要素に通知する。
【００８０】
特定されたネットワーク方式がUMTSネットワークであった場合、アクセスサイドネットワーク要素はRNCであり；特定されたネットワーク方式がLTEネットワークであった場合、アクセスサイドネットワーク要素はeNBである。
【００８１】
308：BSCは、特定されたネットワーク方式に対応する隣接セルにおいて、MSが現在在圏しているセルに隣接する隣接セルを特定し、共通ブロードキャストチャネルをオープン状態にするように、特定した隣接セルに属するアクセスサイドネットワーク要素に通知する。
【００８２】
309：BSCは、メジャーメントリクエストをMSに送信し、メジャーメントリクエストは、特定された隣接セルの共通ブロードキャストチャネルを測定することをMSに通知するために使用される。
【００８３】
310：MSは、BSCから送信されたメジャーメントリクエストを受信し、BSCにより特定された隣接セル各々の共通ブロードキャストチャネルを測定し、隣接セル各々についのメジャーメントレポートを生成し、隣接セル各々についてのメジャーメントレポートをBSCに送信する。
【００８４】
311：BSCは、隣接セル各々についてのメジャーメントレポートを受信し、隣接セル各々についてのメジャーメントレポートに従って選択した隣接セルをターゲットセルとして決定する。
【００８５】
更に、BSCは、選択されなかった隣接セルに属するアクセスサイドネットワークに、共通ブロードキャストチャネルをクローズド状態にするように通知してもよい。
【００８６】
更に、MSは、サービスを開始する場合に、MSが現在在圏しているセルに隣接する隣接セルの共通ブロードキャストチャネルを周期的に測定することになるので、一実施形態におけるBSCはステップ308において、隣接セルに属するアクセスサイドネットワーク要素に、共通ブロードキャストチャネルをオープン状態にするように通知した後、MSにメジャーメントリクエストを送信しなくてもよく、むしろ隣接セル各々の共通ブロードキャストチャネルを周期的に測定した後にMSから送信される隣接セル各々についてのメジャーメントレポートを待機し、隣接セル各々についてのメジャーメントレポートに従ってターゲットセルを選択してもよい。
【００８７】
312：BSCは、決定されたターゲットセルの識別子を含む切替要求をMSCに送信する。
【００８８】
313：MSCは、BSCから送信された切替要求を受信し、切替要求が示すターゲットセルの識別子に従って、ターゲットセルに属するアクセスサイドネットワーク要素にリロケーション要求を送信する。
【００８９】
ターゲットセルがLTEネットワークセルであった場合、アクセスサイドネットワーク要素はeNB(エンハンスト基地局)であり、従ってMSCはターゲットセルに属するeNBにリロケーション要求を送信する；ターゲットセルがUMTSネットワークセルであった場合、アクセスサイドネットワーク要素はRNC(無線ネットワークコントローラ)であり、従ってMSCはターゲットセルが属するRNCにリロケーション要求を送信する。
【００９０】
314：アクセスサイドネットワーク要素は、MSCから送信されたリロケーション要求を受信し、MSにサービスチャネルを割り当て、リロケーション応答メッセージをMSCに送信する。
【００９１】
315：MSCは、リロケーション応答メッセージを受信し、切替コマンドをMSに送信し、切替コマンドは、対象としている開始されたPSサービスを、割り当てられたサービスチャネルに切り替えることをMSに通知するために使用される。
【００９２】
316：MSは、MSCから送信された切替コマンドを受信し、自らをターゲットセルに切り替え、アクセスサイドネットワーク要素により割り当てられたサービスチャネルで開始されたサービスを実行する。
【００９３】
アクセスサイドネットワーク要素が割り当てたサービスチャネルにより、開始されたPSサービスの送受信を行った後、MSはBSCに通知を行ってGSMネットワークに再度在圏し、BSCがターゲットセルをクローズド状態にし、割り当てられたサービスチャネルを解放するようにアクセスサイドネットワーク要素に通知する。
【００９４】
一実施形態において、BSCは、先ず、MSが現在在圏しているGSMネットワークセルと共存している隣接セルを特定してもよい。特定された共存している隣接セルが、MSにより開始されたPSサービスをサポートしているネットワーク方式のセルを有していた場合、MSにより開始されたPSサービスをサポートしているネットワーク方式のそのセルをターゲットセルとして決定し；そうでなかった場合、MSが現在在圏しているセルに隣接している隣接セルを特定し、特定された隣接セルのうち、MSにより開始されたPSサービスをサポートしているネットワーク方式の隣接セルを、ターゲットセルとして選択してもよい。
【００９５】
一実施形態において、BSCは、MSにより開始されたPSサービスをサポートしているネットワーク方式を特定した後に、MSが現在在圏しているセルに基づいてかつ保存されている在圏セルと候補セルとの間の対応関係から、対応する候補セルを特定し、特定された候補セルのうち、特定されたネットワーク方式のセルを、ターゲットセルとして選択してもよい。
【００９６】
一実施形態において、現在オープン状態であるGSMネットワークはMSにより開始されたサービスをサポートしていないことを通知するために、サービスサポート情報が使用されていた場合、BSCは、ステップ306-316を実行する前に、ステップ305において、MSにより開始されたサービスをサポートしているネットワーク方式として或るネットワーク方式を選択し、MSにより開始されたサービスをターゲットセルに切り替えることに失敗した場合、BSCはステップ305に戻り、残りのネットワーク方式の中からMSのためのネットワーク方式を選択し直し、ステップ306-316を実行することを、MSにより開始されたサービスをターゲットセルに切り替えることに成功するまで続けてもよい。
【００９７】
本発明の一実施形態では、MSが、GSMネットワークにおいてCSドメインリクエストを用いて、現在オープン状態であるGSMネットワークではサポートされていないサービスを開始した場合に、BSCはMSが開始しようとしたサービスをサポートすることが可能なネットワーク方式を決定し、決定されたネットワーク方式に対応する隣接セルにおいてターゲットセルを特定し、MSにより開始されたサービスをターゲットセルに切り替えることが可能である。このように、MSが、GSMネットワークセルの中でCSドメインリクエストを用いて、現在オープン状態であるGSMネットワークではサポートされていないPSサービスを開始した場合でも、MSにより開始されたPSサービスの提供に成功することが可能になり、これによりユーザの体感品質を向上させることができる。
【００９８】
＜＜実施の形態４＞＞
本発明による一実施形態はサービス提供方法をもたらす。実施の形態における通信ネットワークでは、GSMネットワーク、UMTSネットワーク及びLTEネットワークが重複したカバレッジエリア内にあり、通信ネットワークにおいて、GSMネットワークのセルがオープン状態であり、UMTSネットワークのセル及びLTEネットワークのセルはクローズド状態又は一部クローズド状態であり；MSは、オープン状態のGSMネットワークのセルにおいてPSドメインのリクエストを利用して、GSMネットワークではサポートされていないPSサービスを開始し、その後BSCは実施の形態により提供されるサービス提供方法を利用してMSによって開始されたPSサービスを提供する。図4を参照するに、本方法は以下のステップを含んでいる：
401：MSが現在在圏しているGSMネットワークの中でPSドメインリクエストを利用してPSサービスを開始した場合、MSは、パケットアクセス要求をBSCに送信する。
【００９９】
402：BSCは、MSから送信されたパケットアクセス要求を受信し、パケットアップリンク割当メッセージをMSに返す。
【０１００】
更に、パケットアップリンク割当メッセージは、現在オープン状態のGSMネットワークを示す能力情報(capability  information)を含んでいてもよい。
【０１０１】
実施の形態において、BSCは、能力情報フィールドを現在のパケットアップリンク割当メッセージに追加してもよく、能力情報は以下の形態に分類されてもよい：
(i)  第1に、能力情報は、現在オープン状態であるGSMネットワークがサポートしているサービスのネットワーク形式が何であるかを示すために使用されてもよい。
【０１０２】
例えば、ビット00は、現在オープン状態であるGSMネットワークがGSMネットワークのサービスしかサポートしていないことを示すために使用され；ビット01は、現在オープン状態であるGSMネットワークがGSMネットワーク及びUMTSネットワークのサービスのみをサポートしていることを示すために使用され；ビット11は、現在オープン状態であるGSMネットワークが全てのネットワーク方式のサービスをサポートできることを示すために使用されてもよい。
【０１０３】
(ii)  第2に、能力情報は、現在オープン状態であるGSMネットワークがサポートしているサービスのサービスタイプが何であるかを示すために使用されてもよい。
【０１０４】
例えば、00は現在オープン状態であるGSMネットワークがダウンロードサービスをサポートしていることを示し；01は現在オープン状態であるGSMネットワークがビデオサービスをサポートしていることを示すために使用されてもよい。
【０１０５】
(iii)  第3に、能力情報は、現在オープン状態であるGSMネットワークによりサポートされているサービス通信速度を示すために使用されてもよい。
【０１０６】
従って、MSは、能力情報に従って、現在オープン状態であるGSMネットワークが、開始されたサービスをサポートしているか否かを判断し、判断結果をアプリケーションレイヤのソフトウェアに通知する。
【０１０７】
403：MSはパケットリソース要求をBSCに送信し、パケットリソース要求は、MSにより開始されたサービスに必要なリソースのサービスサポート情報を含む。
【０１０８】
サービスに必要なリソースは、サービスに必要な最大帯域幅、サービスのサービスタイプ、及び/又はサービスに必要なQoSパラメータを含んでもよい。
【０１０９】
404：BSCが、MSから送信されたパケットリソース要求を受信し、パケットリソース要求が示すサービスサポート情報に従って、現在オープン状態のGSMネットワークがMSにより開始されたPSサービスをサポートしているか否かを判断し、サポートしていなければステップ405を実行する。
【０１１０】
具体的には、BSCは、MSから送信されたパケットリソース要求を受信し、パケットリソース要求が示すサービスサポート情報に従って、MSにより開始されたサービスに必要なリソースを決定し、決定したリソースに従って、現在オープン状態であるGSMネットワークはMSにより開始されたサービスをサポートしないことを確認する。
【０１１１】
305：BSCは、MSにより開始されたPSサービスをサポートすることが可能なネットワーク方式を特定する。
【０１１２】
BSCは、MSにより開始されたサービスに必要なリソースに従って、MSにより開始されたサービスをサポートすることが可能なネットワーク方式を決定する。
【０１１３】
(i)  サービスサポート情報が、MSにより開始されたサービスに必要な最大帯域幅を示すように使用されていた場合、BSCは、サービスサポート情報が示す帯域幅を提供できるネットワーク方式を特定し、特定したネットワーク方式を、MSにより開始されたPSサービスをサポートしているネットワーク方式として決定する；或いは
(ii)  サービスサポート情報が、MSにより開始されたサービスに必要なQoSパラメータを示すように使用されていた場合、BSCは、サービスサポート情報が示すQoSパラメータを提供できるネットワーク方式を特定し、特定したネットワーク方式を、MSにより開始されたサービスをサポートするネットワーク方式として決定する；或いは
(iii)  サービスサポート情報がMSにより開始されたサービスのサービスタイプを示すように使用されていた場合、サービスサポート情報が示すサービスタイプに基づいてかつ保存しているサービスタイプとネットワーク方式との間の対応関係に従って、MSにより開始されたサービスをサポートするネットワーク方式を特定する。
【０１１４】
406：BSCは、特定したネットワーク方式に対応する隣接セルにおいて、MSが現在在圏しているGSMネットワークセルと共に共存する隣接セルの存否を判断し、存在していればステップ407を実行し；存在していなければステップ408を実行する。
【０１１５】
407：BSCは、MSが現在在圏しているGSMネットワークセルと共に共存している隣接セルを選択し、選択した隣接セルを、MSにより開始されたPSサービスをサポートするターゲットセルとして決定し、ステップ412を実行する。
【０１１６】
BSCにより特定されたネットワーク方式がLTEネットワークであった場合、BSCにより特定されるターゲットセルは、MSが現在在圏しているGSMネットワークセルと共存しているLTEネットワークセルであり；BSCにより特定されたネットワーク方式がUMTSネットワークであった場合、BSCにより特定されたターゲットセルは、MSが現在在圏しているGSMネットワークセルと共存しているUMTSネットワークである。
【０１１７】
408：BSCは、MSが現在在圏しているGSMセルに隣接する隣接セルを特定し、共通ブロードキャストチャネルをオープン状態にするように、特定した隣接セルに属するアクセスサイドネットワーク要素に通知する。
【０１１８】
409：BSCは、メジャーメントリクエストをMSに送信し、メジャーメントリクエストは、特定された隣接セル各々についての共通ブロードキャストチャネルを測定することをMSに通知するために使用される。
【０１１９】
410：MSは、BSCから送信されたメジャーメントリクエストを受信し、BSCにより特定された隣接セル各々の共通ブロードキャストチャネルを測定し、隣接セル各々についのメジャーメントレポートを生成し、隣接セル各々についてのメジャーメントレポートをBSCに送信する。
【０１２０】
411：BSCは、隣接セル各々についてのメジャーメントレポートを受信し、隣接セル各々についてのメジャーメントレポートに従って隣接セルを選択し、選択した隣接セルをターゲットセルとして決定する。
【０１２１】
更に、BSCは、選択されなかった隣接セルに属するアクセスサイドネットワークに、共通ブロードキャストチャネルをクローズド状態にするように通知してもよい。
【０１２２】
更に、MSは、サービスを開始する場合に、MSが現在在圏しているセルに隣接する隣接セルの共通ブロードキャストチャネルを周期的に測定することになるので、一実施形態におけるBSCはステップ408において、隣接セルに属するアクセスサイドネットワーク要素に、共通ブロードキャストチャネルをオープン状態にするように通知した後、MSにメジャーメントリクエストを送信しなくてもよく、むしろ隣接セル各々の共通ブロードキャストチャネルを周期的に測定した後にMSから送信される隣接セル各々についてのメジャーメントレポートを待機し、隣接セル各々についてのメジャーメントレポートに従ってターゲットセルを選択してもよい。
【０１２３】
312：BSCは、アップリンクプロトコルデータユニット(アップリンクPDU)メッセージをコアネットワーク要素に送信し、アップリンクPDUは、MSにより開始されたサービスをターゲットセルに切り替えることと、ターゲットセルの識別子とを示すサービススイッチング通知又はサービス切替通知を含む。
【０１２４】
ターゲットセルがLTEネットワークセルであった場合、コアネットワーク要素はSGSN[サービングGPRS(Serving  General  Packet  Radio  Service)]サポートノードであり、この場合、BSCはアップリンクPDUメッセージをSGSNに送信する；ターゲットセルがUMTSネットワークセルであった場合、コアネットワーク要素は移動管理部(Mobility  Management  Entity：MME)であり、この場合、BSCはアップリンクPUDメッセージをMMEに送信する。
【０１２５】
413：コアネットワーク要素は、BSCから送信されたアップリンクPDUメッセージを受信し、アップリンクPDUメッセージが示すサービス切替通知及びターゲットセルの識別子に従って、ターゲットセルに属するアクセスサイドネットワーク要素に切替要求を送信する。
【０１２６】
ターゲットセルがLTEネットワークセルであった場合、アクセスサイドネットワーク要素はeNBであり、コアネットワーク要素はSGSNであり、従ってSGSNはターゲットセルに属するeNBに切替要求を送信する；ターゲットセルがUMTSセルであった場合、アクセスサイドネットワーク要素はRNCであり、コアネットワーク要素はMMEであり、従ってMMEはターゲットセルが属するRNCに切替要求を送信する。
【０１２７】
414：アクセスサイドネットワーク要素は、コアネットワーク要素から送信された切替要求を受信し、MSにサービスチャネルを割り当て、通知メッセージをMSに送信し、通知メッセージは、開始されたPSサービスに関し、MSが割り当てられたサービスチャネルにアクセスすべきことを通知するために使用される。
【０１２８】
415：MSは、アクセスサイドネットワーク要素から送信された通知メッセージを受信し、自らをターゲットセルに切り替え、アクセスサイドネットワーク要素により割り当てられたサービスチャネルで開始されたサービスを実行する。
【０１２９】
一実施形態において、BSCは、ターゲットセルを特定した後に、リダイレクション要求メッセージをMSに直接的に送信し、リダイレクション要求メッセージはターゲットセルのアクセス情報を含み；MSは、BSCから送信されたリダイレクション要求メッセージを受信した後、リダイレクション要求メッセージが示すターゲットセルのアクセス情報に従って、自身をターゲットセルに切り替え、ターゲットセルが属するアクセスサイドネットワーク要素と共に無線リソース設定手順を実行し、コアネットワーク要素と共にサービス提供手順を実行し、そしてMSがターゲットセルにおいて開始されたサービスを実行する。
【０１３０】
MSにより実行されたターゲットセルへのアクセス手順は、エアインタフェースリソース設定手順とサービスチャネル設定手順とを含み；エアインタフェースリソース設定手順はターゲットセルが属するアクセスサイドネットワーク要素とMSとの間に無線リソースコネクションを設定し、サービスチャネル設定手順は、MS、ターゲットセルが属するアクセスサイドネットワーク要素、及びコアネットワーク要素である3つを接続するサービスチャネルを設定する。
【０１３１】
本発明の一実施形態では、MSが、GSMネットワークにおいてPSドメインリクエストを用いて、現在オープン状態であるGSMネットワークではサポートされていないPSサービスを開始した場合に、BSCはMSにより開始されたサービスをサポートすることが可能なネットワーク方式を決定し、決定されたネットワーク方式に対応する隣接セルにおいてターゲットセルを特定し、MSが開始しようとしたサービスをターゲットセルに切り替えることが可能である。このように、MSが、GSMネットワークセルの中でPSドメインリクエストを用いて、現在オープン状態であるGSMネットワークではサポートされていないPSサービスを開始した場合でも、MSにより開始されたPSサービスの提供に成功することが可能になり、これによりユーザの体感品質を向上させることができる。
【０１３２】
＜＜実施の形態５＞＞
図5に示されるように、本発明による実施の形態はサービス提供装置をもたらし、以下の要素を含む。
【０１３３】
受信モジュール501。これはサービス通知メッセージを受信するように形成され、サービス通知メッセージは端末により開始されたサービスについてのサービスサポート情報を含む。
【０１３４】
切替モジュール502。これは、端末がサービスを開始したセルでオープン状態であるネットワーク方式が、端末により開始されたサービスをサポートしてないことが、サービスサポート情報に基づいて確認された場合に、端末により開始されたサービスを、端末により開始されたサービスをサポートしているセルに切り替えるように形成されている。
【０１３５】
サービスサポート情報が、端末により開始されたサービスのサービスタイプを示していた場合、切替モジュール502は、以下の要素を含む：
判定部。これは、サービスサポート情報が示すサービスタイプと、サービスタイプ及びネットワーク方式の間の対応関係とに従って、端末により開始されたサービスをサポートしているネットワーク方式を特定するように形成されている。
【０１３６】
切替部。これは、端末により開始されたサービスを、端末により開始されたサービスをサポートするネットワーク方式に対応するセルに切り替えるように形成されている。
【０１３７】
サービス通知メッセージは、コアネットワークから送信された割当要求メッセージ、或いは端末から送信されたパケットリソース要求を含む。
【０１３８】
サービス通知メッセージが、コアネットワークから送信された割当要求メッセージを含んでいた場合において、
サービスサポート情報が、現在のネットワークは端末により開始されたサービスをサポートしていないことを示していた場合、切替部は、具体的には、端末により開始されたサービスをサポートするネットワーク方式を決定し、端末により開始されたサービスを、決定された該ネットワーク方式に対応するセルに切り替えるように形成されている；或いは、
サービスサポート情報が、端末により開始されたサービスをサポートしているネットワーク方式を示していた場合、切替部は、具体的には、端末により開始されたサービスを、サービスサポート情報が示すネットワーク方式に対応するセルに切り替えるように形成されている。
【０１３９】
端末により開始されたサービスをサポートしているネットワーク方式が、端末が在圏しているセルと併存又は共存する隣接セルを有していた場合、
切替部は、具体的には、端末により開始されたサービスを、端末が在圏しているセルと共存する隣接セルにおいて端末が開始したサービスをサポートするネットワーク方式に対応するセルに切り替えるように形成され、共存する隣接セルは、端末が在圏しているセルの受信機と同じ場所に配備された受信機と、端末が在圏しているセルの送信機と同じ場所に配備された送信機とを有する隣接セルである。
【０１４０】
本発明の一実施形態において、移動局は、現在在圏しているセルの中で、現在オープン状態であるネットワーク方式によってはサポートされていないサービスを開始しようとした場合、移動局により開始されたサービスをサポートしているネットワーク方式のターゲットセルが特定され、移動局により開始されたサービスはターゲットセルに切り替えられる。このように、移動局が、現在オープン状態であるネットワーク方式ではサポートされていないサービスを、現在在圏しているセルの中で開始しようとした場合でも、移動局により開始されたサービスの提供に成功することが可能になり、これによりユーザの体感品質を向上させることができる。
【０１４１】
＜＜実施の形態６＞＞
図6に示されているように、本発明による実施の形態はコアネットワーク要素をもたし、以下の要素を含む。
【０１４２】
受信モジュール601。これは、端末から送信されたサービス要求メッセージを受信するように形成され、サービス要求メッセージは端末が開始しようとしているサービスのタイプを含む。
【０１４３】
送信モジュール602。これは、端末により開始されるサービスのタイプに従って、割当要求メッセージを基地局コントローラに送信するように形成され、割当要求情報は、端末により開始されたサービスのサービスサポート情報を含み、基地局コントローラは、サービスサポート情報に従って、端末により開始されたサービスを、端末により開始されたサービスをサポートしているセルに切り替える。
【０１４４】
現在のセルが端末により開始されたサービスをサポートしていないことがサービスのタイプにより確認された場合、サービス要求メッセージに従って、割当要求情報が基地局コントローラに送信される。
【０１４５】
サービスサポート情報は、端末により開始されたサービスのタイプを通知するために使用される；或いは
サービスサポート情報は、現在のセルが端末により開始されたサービスをサポートしているか否かを通知するために使用される；或いは
端末により開始されたサービスのタイプに従って、端末により開始されたサービスをサポートしているネットワーク方式が決定され、サービスサポート情報は端末により開始されたサービスをサポートしている決定されたネットワーク方式を通知するために使用される。
【０１４６】
本発明の実施の形態において、端末は、現在在圏しているセルにおいて、現在オープン状態であるネットワーク方式ではサポートされていないサービスを開始しようとした場合、端末により開始されるサービスのサービスサポート情報をBSCに送信し、BSCは端末により開始されたサービスをターゲットセルに切り替える。このように、端末が、現在在圏しているセルにおいて、現在オープン状態であるネットワーク方式ではサポートされていないサービスを開始しようとした場合、端末により開始されるサービスを適切に提供することが可能になり、これによりユーザの体感品質が向上する。
【０１４７】
＜＜実施の形態７＞＞
図7に示されているように、本発明による実施の形態は端末をもたらし、以下の要素を含む。
【０１４８】
送信モジュール701。これは、GSMネットワークセルの中でPSドメインリクエストを用いて、開始されたサービスのタイプを含むパケットリソース要求を送信するように形成されており、これによりBSCは、サービスのタイプに応じて、開始されたサービスを、開始されたサービスをサポートしているセルに切り替える。
【０１４９】
更に、端末は受信モジュール702も含み、これは、サービスのタイプを示すパケットリソース要求をBSCに送信する前に、GSMネットワークに関する能力情報であってBSCから送信された能力情報を受信し、その能力情報に従って、開始されたサービスをGSMネットワークがサポートしているか否かを判断するように形成されている。
【０１５０】
本発明の一実施形態において、端末は、現在在圏しているセルの中で、現在オープン状態であるネットワーク方式によってはサポートされていないサービスを開始しようと場合、端末により開始されるサービスのサービスサポート情報をBSCに送信し、BSCは端末により開始されたサービスをターゲットセルに切り替える。このように、端末が、現在在圏しているセルにおいて、現在オープン状態であるネットワーク方式ではサポートされていないサービスを開始しようとした場合でも、端末により開始されるサービスを適切に提供することが可能になり、これによりユーザの体感品質が向上する。
【０１５１】
＜＜実施の形態８＞＞
図8に示されているように、本発明による実施の形態はサービス提供システムをももたらし、サービス提供システムは、実施の形態7によるコアネットワーク要素801と、実施の形態6によるサービス提供部802とを含む。
【０１５２】
本発明の一実施形態において、端末は、現在在圏しているセルの中で、現在オープン状態であるGSMネットワークセルでPSサービスを開始しようと場合、移動局により開始されたサービスをサポートするネットワーク方式のターゲットセルが特定され、移動局により開始されたサービスがターゲットセルに切り替える。このように、端末が、現在在圏しているセルにおいて、現在オープン状態であるネットワーク方式ではサポートされていないサービスを開始しようとした場合でも、端末により開始されるサービスを適切に提供することが可能になり、これによりユーザの体感品質が向上する。
【０１５３】
上記の実施の形態による技術的解決手段の全部又は一部の内容はソフトウェアプログラミングにより実現されてもよく、ソフトウェアプログラミングは、コンピュータのハードディスク、光ディスク又はフロッピディスク等のような読み取り可能な記憶媒体に保存されている。
【０１５４】
上記の説明は本発明の実施の形態を例示しているに過ぎず、本発明の限定を意図してはいない。本発明の精神及び原理の範囲内に属する如何なる変形例、等価的な置換例又は実現手段も、本発明の保護範囲内に属する。
【０１５５】
＜関連出願＞
本願は2011年3月22日付で中国特許庁に出願された「SERVICE  ESTABLISHMENT  METHOD,  DEVICE,  AND  SYSTEM」と題する中国特許出願第201110069649.5号による優先的利益を享受し、その中国特許出願の全内容がリファレンスとして組み入れられる。
【図１】
2014513460.tif 000004
【図２】
2014513460.tif 000005
【図３】
2014513460.tif 000006
【図４】
2014513460.tif 000007
【図５】
2014513460.tif 000008
【図６】
2014513460.tif 000009
【図７】
2014513460.tif 000010
【図８】
2014513460.tif 000011
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
端末により開始されたサービスについてのサービスサポート情報を含むサービス通知メッセージを受信するステップと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるステップと
を有するサービス提供方法。
【請求項２】
前記サービスサポート情報が、前記端末により開始された前記サービスのサービスタイプを示していた場合、前記端末により開始された前記サービスを、前記端末により開始された前記サービスをサポートしているセルに切り替える前記ステップにおいて、
前記サービスサポート情報が示す前記サービスタイプと、前記サービスタイプ及びネットワーク方式の間の対応関係とに従って、前記端末により開始された前記サービスをサポートしているネットワーク方式を判別し、前記端末により開始された前記サービスを、該ネットワーク方式に対応するセルに切り替える、請求項１に記載のサービス提供方法。
【請求項３】
前記サービス通知メッセージが、コアネットワークから送信された割当要求メッセージ又は前記端末から送信されたパケットリソース要求を含む、請求項２に記載のサービス提供方法。
【請求項４】
前記サービス通知メッセージが、前記コアネットワークから送信された割当要求メッセージを含んでいた場合において、
前記サービスサポート情報が、現在のネットワークは前記端末により開始された前記サービスをサポートしていないことを示していた場合、前記端末により開始された前記サービスを、前記端末により開始された前記サービスをサポートしている前記セルに切り替える前記ステップにおいて、前記端末により開始された前記サービスをサポートしているネットワーク方式を判別し、前記端末により開始された前記サービスを、判別された該ネットワーク方式に対応するセルに切り替える、或いは、
前記サービスサポート情報が、前記端末により開始された前記サービスをサポートしているネットワーク方式を示していた場合、前記端末により開始された前記サービスを、前記端末により開始された前記サービスをサポートしている前記セルに切り替える前記ステップにおいて、前記端末により開始された前記サービスを、前記サービスサポート情報が示す前記ネットワーク方式に対応するセルに切り替える、請求項３に記載のサービス提供方法。
【請求項５】
前記ネットワーク方式が、前記端末が在圏しているセルと併存する隣接セルを有していた場合、前記端末により開始された前記サービスを、前記端末により開始された前記サービスをサポートしている前記セルに切り替える前記ステップにおいて、前記端末により開始された前記サービスを、前記端末が在圏している前記セルと併存する前記隣接セルにおけるネットワーク方式に対応するセルに切り替え、
前記併存する隣接セルは、前記端末が在圏しているセルの受信機と同じ場所に配備された受信機と、前記端末が在圏しているセルの送信機と同じ場所に配備された送信機とを有する隣接セルである、請求項１−４の何れか１項に記載のサービス提供方法。
【請求項６】
端末により送信されたサービス要求メッセージであって前記端末により開始されたサービスのタイプを含むサービス要求メッセージを受信するステップと、
基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するステップと
を有するサービス提供方法。
【請求項７】
現在のセルが前記端末により開始された前記サービスをサポートしていなかったことが前記サービスの前記タイプに従って確認された場合、前記サービス要求メッセージに従って、前記割当要求情報を前記基地局コントローラに送信することを実行するステップを有する請求項６に記載のサービス提供方法。
【請求項８】
前記サービスサポート情報が、前記端末により開始された前記サービスの前記タイプを通知するために使用される、或いは
前記サービスサポート情報が、前記端末により開始されたサービスを現在のセルがサポートしているか否かを通知するために使用される、或いは
前記端末により開始された前記サービスの前記タイプに従って、前記端末により開始された前記サービスをサポートしているネットワーク方式が判別され、前記サービスサポート情報は、前記端末により開始された前記サービスをサポートしている判別された前記ネットワーク方式を通知するために使用される、請求項６に記載のサービス提供方法。
【請求項９】
端末により開始されたサービスについてのサービスサポート情報を含むサービス通知メッセージを受信するように形成された受信モジュールと、
前記サービスを開始した前記端末が在圏しているセルで利用されているネットワーク方式が前記端末により開始された前記サービスをサポートしていないことが、前記サービスサポート情報に基づいて確認された場合、前記端末により開始された前記サービスを、前記端末により開始された前記サービスをサポートしているセルに切り替えるように形成された切替モジュールと
を有するサービス提供装置。
【請求項１０】
前記サービスサポート情報が、前記端末により開始された前記サービスのサービスタイプを示していた場合、前記切替モジュールは、
前記サービスサポート情報が示す前記サービスタイプと、前記サービスタイプ及びネットワーク方式の間の対応関係とに従って、前記端末により開始された前記サービスをサポートしているネットワーク方式を判別するように形成された判別ユニットと、
前記端末により開始された前記サービスを、該ネットワーク方式に対応するセルに切り替える切替ユニットと
を有する、請求項９に記載のサービス提供装置。
【請求項１１】
前記サービス通知メッセージが、コアネットワークから送信された割当要求メッセージを含んでいた場合において、
前記サービスサポート情報が、現在のネットワークは前記端末により開始された前記サービスをサポートしていないことを示していた場合、前記端末により開始された前記サービスをサポートしているネットワーク方式を判別し、前記端末により開始された前記サービスを、判別された該ネットワーク方式に対応するセルに切り替える、或いは、
前記サービスサポート情報が、前記端末により開始された前記サービスをサポートしているネットワーク方式を示していた場合、前記切替ユニットは、前記端末により開始された前記サービスを、前記サービスサポート情報が示す前記ネットワーク方式に対応するセルに切り替える、請求項９に記載のサービス提供装置。
【請求項１２】
前記ネットワーク方式が、前記端末が在圏しているセルと併存する隣接セルを有していた場合、
前記切替ユニットは、前記端末により開始された前記サービスを、前記端末が在圏している前記セルと併存する前記隣接セルにおけるネットワーク方式に対応するセルに切り替え、
前記併存する隣接セルは、前記端末が在圏しているセルの受信機と同じ場所に配備された受信機と、前記端末が在圏しているセルの送信機と同じ場所に配備された送信機とを有する隣接セルである、請求項９−１１の何れか１項に記載のサービス提供装置。
【請求項１３】
端末により送信されたサービス要求メッセージであって前記端末により開始されたサービスのタイプを含むサービス要求メッセージを受信するように形成された受信モジュールと、
基地局コントローラが、サービスサポート情報に従って、前記端末により開始された前記サービスを、前記端末により開始された前記サービスをサポートしているセルに切り替えるように、前記端末により開始された前記サービスの前記タイプに従って、前記端末により開始された前記サービスについてのサービスサポート情報を含む割当要求情報を基地局コントローラに送信するように形成された送信モジュールと
を有するコアネットワーク要素。
【請求項１４】
現在のセルが前記端末により開始された前記サービスをサポートしていなかったことが前記サービスの前記タイプに従って確認された場合、前記送信モジュールは、前記サービス要求メッセージに従って、前記割当要求情報を前記基地局コントローラに送信する、請求項１３に記載のコアネットワーク要素。
【請求項１５】
ＧＳＭネットワークのセルにおいてパケット交換（ＰＳ）ドメインのリクエストによりサービスが開始される場合に、基地局コントローラ（ＢＳＣ）が、前記サービスのタイプに応じて、該サービスを、該サービスをサポートしているセルに切り替えるように、前記サービスの前記タイプを含むパケットリソース要求を前記ＢＳＣに送信するように形成された送信モジュールと、
前記サービスの前記タイプを含む前記パケットリソース要求が前記ＢＳＣに送信される前に、前記ＢＳＣから送信された前記ＧＳＭネットワークのセルに関する能力情報を受信し、前記ＧＳＭネットワークのセルが前記開始されたサービスをサポートしているか否かを前記能力情報に従って判断する受信モジュールと
を有する端末。
【国際調査報告】
2014513460.tif 000012
2014513460.tif 000013
2014513460.tif 000014
2014513460.tif 000015